(57)【要約】      （修正有）【課題】身体を凭れ掛ける背凭れであって、複数のクッション部材を組み立てて任意の大きさに構成することが出来る背凭れの提供。【解決手段】一端に側板２を取着した軸３に複数のクッション部材１，１・・を取付け、軸３の他端には対向する側板２を取付けて該クッション部材１，１・・を両側板３，３にて挟み込んだ構造とし、各クッション部材１，１・・の形状は転がることのない円形以外の柱体であり、そしてクッション部材１，１・・の外周部には穴を貫通して上記軸３を穴に嵌めて回転可能な状態で取付けている。【選択図】図４
0003118727.tif 000002
【実用新案登録請求の範囲】
【請求項１】
身体を凭れ掛ける背凭れにおいて、圧縮変形することが出来る複数のクッション部材を軸に取付けると共に、該クッション部材とその外形をほぼ同一又は比例関係にある形状にした両側板にて挟み込んだ構造とし、各クッション部材の形状は転がることのない円形以外の柱体であり、その外周部には穴を貫通して上記軸を穴に嵌めて回転可能な状態で取付けたことを特徴とする背凭れ。
【請求項２】
身体を凭れ掛ける背凭れにおいて、一端に側板を取着した軸に圧縮変形することが出来る複数のクッション部材を取付け、軸の他端には対向する側板を取付けて該クッション部材を両側板にて挟み込んだ構造とし、各クッション部材の形状は転がることのない円形以外の柱体であり、又両側板の形状はクッション部材とほぼ同一とし、そしてクッション部材の外周部には穴を貫通して上記軸を穴に嵌めて回転可能な状態で取付けたことを特徴とする背凭れ。
【請求項３】
上記軸を互いに連結した複数本で構成した請求項１、又は請求項２記載の背凭れ。
【考案の詳細な説明】
【技術分野】
【０００１】
本考案は圧縮変形することが出来る複数のクッション部材を配列・組み合わせることで、任意の大きさに構成することが出来る背凭れに関するものである。
【背景技術】
【０００２】
ソファーは座部と背凭れ部とで構成しているが、本考案は座部を備えていないが、用途としてはソファーと共通している。従来、ソファーに関しては色々な技術が開発され、特に腰掛けとして利用するだけでなく、他の用途にも使用できるような付加価値を備えたものが数多く出願されている。例えば、ベッドとしての機能を備えたソファー、マッサージを受けることが出来るようにしたソファーなどである。
【０００３】
特開２００５−２７０３８９号に係る「ソファー」は、座部体上で仰臥し易くしたもので、少なくとも一方の肘掛け体は、座部体の長手方向の端面に固定された基部と、基部にヒンジ機構によって起立した状態で倒伏不能に保持されると共に起立状態から上昇させて座部体の長手方向外方へ倒伏させることでほぼ水平な状態で保持される可動部とによって構成している。
【０００４】
特開２００５−１４３８３４号に係る「ソファーベッド」は、ソファー仕様において、固定ベッドの座面面積が起立した可動マットによって削減させるのを抑止でき、着座時の窮屈感がない解放的なソファーベッドである。フレームと該フレームで支持される左右横長のベッドマットとを備え、ベッドマットはフレームに固定される固定マットと、ソファー仕様とベッド仕様とに起伏変位できる可動マットとを有している。固定マットと可動マットとは、ベッドマットを前後に横断するクランク状の分割面で分割し、前後及び左右に隣接させ、フレームと可動マットとの間に、可動マットを下方のマット位置と上方の背凭れ位置とに起伏変位可能に支持する昇降機構を設けている。
【０００５】
特開平７−１８４７４６号に係る「ソファー兼用ベッド」は、基台の両端のヘッド又はフットボードに設けた一対の可動背凭れ半体の変位によって、ベッドモードとソファーモードとに変換使用することが出来、基台は両ボード間にて略水平状態に固設された固定基台と、該固定基台に連続した略水平状態に支持される使用位置と前記固定基台に沿った起立状態に支持される格納位置とに変位可能な可動基台とからなる。
【特許文献１】特開２００５−２７０３８９号に係る「ソファー」
【特許文献２】特開２００５−１４３８３４号に係る「ソファーベッド」
【特許文献３】特開平７−１８４７４６号に係る「ソファー兼用ベッド」
【考案の開示】
【考案が解決しようとする課題】
【０００６】
このように、ソファーに腰掛けとして使用する他の機能を備えたものが数多く知られている。特にマンションなどの狭い部屋である場合、該ソファーに他の機能を備えることは価値がある。本考案に係る背凭れは、腰掛として使用できるだけでなく、テーブルとし、又部屋のインタリアとしても利用できる背凭れを提供する。
【課題を解決するための手段】
【０００７】
本考案に係る背凭れは複数のクッション部材と両側板、及び軸とで構成している。上記クッション部材は背凭れとして機能するように適度なクッション性を有すことが出来るような材質、例えばポリウレタンなどの弾性材質が使用されている。しかし、その形状は背凭れに適した断面を成す柱体で、両側面は平行面を成し、外周部の適当位置に穴が貫通している。
【０００８】
そして、上記穴には軸が挿通して複数のクッション部材が配列・組合され、両端には側板が取着される。すなわち、軸が穴に嵌って複数のクッション部材が配列されると共に、両側板によって挟み込まれた形態と成っている。ただし、各クッション部材は軸に固定されず、互いに回転することが出来るように配列して組み合わされた構造となっている。そして、側板を取外すことで、クッション部材は軸から分離でき、組み立ても簡単である。
【考案の効果】
【０００９】
本考案の背凭れは複数のクッション部材を配列・組み合わせた構造である為に、クッション部材の個数を選択することで大小色々な背凭れを構成することが出来る。すなわち、両側板の間に３個のクッション部材を配列・組み合わせた場合、５個のクッション部材を配列・組み合わせた場合など、使用目的に応じた大きさ(幅寸法)の背凭れを作ることが出来る。製造メーカーはクッション部材と側板、及び軸を製造して準備し、顧客は２枚の側板と軸、及び家族構成に応じて必要な個数のクッション部材を購入することで、適切な大きさの背凭れを簡単に組み立てることが可能と成る。
【実施例】
【００１０】
図１は本考案に係る背凭れを表している実施例である。同図の１はクッション部材、２は側板、３は軸を表し、該背凭れは６個のクッション部材１，１・・が軸３に取付けられて、両側板２，２にて挟まれた構造と成っている。クッション部材１は図２に示しているようにコーナー部を円弧面とした概略三角形の柱体となっている。
【００１１】
そして、コーナー部付近には穴４を貫通して設け、両側面５，５は平行面と成っている。該クッション部材１は圧縮変形することが出来るようなクッション材から成り、外周面６及び両側面５，５にはカバー生地にて被覆されている。ここで、クッション部材１の材質は限定しないが、例えばポリウレタンなどが適している。ただし、穴４には軸３が嵌る為に、クッション部材に形成される下穴には穴４を有す筒を埋着することも出来る。
【００１２】
そして、上記クッション部材１をポリウレタンにて全体を成形するのではなく、穴４を含む中心部を硬質樹脂で成形した芯部の外周部にクッション性の材質を組み合わせて構成することも可能である。又、外周面６及び両側面５，５をカバーする為のカバー生地を必ずしも被覆する必要はない。ところで、クッション部材１の外形形状は特に限定せず、転がることが出来ない円形以外の断面形状とし、しかも背凭れに適した形状であればよい。図２に示すような、コーナー部に丸みを持たせた概略三角形のクッション部材１はあくまでも１具体例に過ぎない。
【００１３】
図３はクッション部材１，１・・を取付ける軸３ａ，３ｂ、及び側板２ａ，２ｂを表している。軸３ａの一端には側板２ａが固定され、他端にはネジ穴７を有している。そして一方の軸３ｂの一端からネジ８が延び、他端にはネジ穴７が設けられている。そこで、軸３ａのネジ穴７にネジ８を螺合して軸３ｂを連結し、軸３は軸３ａと軸３ｂが連結した長さと成る。
【００１４】
この軸３ａ，３ｂを、図３(ｂ)にて点線で示すようにクッション部材１，１・・の穴４，４・・に嵌める。軸３ａ，３ｂには４個のクッション部材１，１・・が配列・組み合わされ、反対側には側板２ｂが取付けられる。そして、該側板２ｂが外れないように、止め具９が取付けられる。側板２ｂには穴１０が貫通して設けられ、この穴１０に軸３ｂの先端が嵌って４個のクッション部材１，１・・は両側板２ａ，２ｂにて挟まれる。この状態で、軸３ｂの他端に設けているネジ穴７に止め具９のネジ８が螺合して固定される。
【００１５】
図３(ｂ)では４個のクッション部材１，１・・が取付けられた背凭れとして構成している。一方の図１の背凭れは６個のクッション部材１，１・・が取付けられている。６個のクッション部材１，１・・を配列・組み合わせて構成する場合には、２本の軸３ａ，３ｂの他に別の軸３ｃ(図示なし)を連結して３本で軸３を構成する。逆に２個のクッション部材１，１で背凭れを構成するには、１本の軸３ａだけでよい。
【００１６】
ところで、各クッション部材１，１・・はその穴４，４・・に軸３が嵌っているだけで、互いに回転することが出来る。図４は６個のクッション部材１，１・・のうちで、両側のクッション材１，１を手前に回転した場合であり、同時に側板２，２も回転している。ここで、側板２，２の形状はクッション部材１，１と同一とし、回転した両側のクッション部材１，１は肘掛けとして機能することが出来る。側板２は一般に樹脂製又は木製とされ、その外形はクッション部材１とほぼ同一とする場合、又は比例して縮小した大きさとする場合もある。
【００１７】
図５はテーブルとして使用する実施例である。クッション部材１は軸３から取外すことが出来、１個のクッション部材１を倒した状態で上面に天板１１を載置するならば、小さなテーブルとなる。勿論、高さが同じである為に複数個のクッション部材１，１・・を床面において、その上に大きな天板を載置することも出来、一種の座卓として機能する。
【００１８】
図６は本考案の背凭れを垂直に起立し、各クッション部材１，１・・の向きを変えて床に配置する場合であり、部屋のインテリアとして機能することが出来る。そして、各クッション部材１，１・・の上面１１，１１・・には小物類を載置することが可能となる。
【図面の簡単な説明】
【００１９】
【図１】６個のクッション部材で構成した本考案の背凭れ。
【図２】クッション部材。
【図３】(ａ)はクッション部材を取付ける軸及び側板の展開図、(ｂ)は４個のクッション部材を取付けた背凭れ。
【図４】両側のクッション部材を回転して肘掛けとした背凭れ。
【図５】１個のクッション部材の上面に天板を載置したテーブル。
【図６】背凭れを起立して、各クッション部材の向きを変えて配置したインテリア。
【符号の説明】
【００２０】
１  クッション部材
２  側板
３  軸
４  穴
５  側面
６  外周面
７  ネジ穴
８  ネジ
９  止め具
10  穴
11  天板
【図１】
0003118727.tif 000003
【図２】
0003118727.tif 000004
【図３】
0003118727.tif 000005
【図４】
0003118727.tif 000006
【図５】
0003118727.tif 000007
【図６】
0003118727.tif 000008